(57)【要約】【課題】アプリケーションの起動と聴きたい音楽の再生とを少ない手間で行なえる携帯端末を提供する。【解決手段】携帯電話機１０は、音楽を再生する再生手段と、再生される音楽のデータを保存しておく保存手段と、互いに連動されるアプリケーションと音楽を登録するためのＧＵＩと、この登録内容を記憶しておく記憶手段と、登録内容に基づいてアプリケーションの起動と音楽の再生を制御する制御手段とを有している。音楽再生手段はコンパンダ１７とＰＣＭコーデック１８と受話増幅器１９とスピーカ２０と制御ユニット２３とで構成される。ＧＵＩは入力デバイス２７とメインディスプレイ２８と制御ユニット２３とで構成される。保存手段と記憶手段は共に記憶ユニット２４で構成され、制御手段は制御ユニット２３で構成される。【選択図】      図１
2008067077.tif 000002
【特許請求の範囲】
【請求項１】
音楽を再生する再生手段と、
再生される音楽のデータを保存しておく保存手段と、
互いに連動されるアプリケーションと音楽を登録する登録手段と、
この登録内容を記憶しておく記憶手段と、
前記登録内容に基づいてアプリケーションの起動と音楽の再生を制御する制御手段と
を有することを特徴とする携帯端末。
【請求項２】
前記制御手段は、アプリケーション起動時に、対応する音楽データを再生することを特徴とする請求項１に記載の携帯端末。
【請求項３】
前記制御手段は、音楽データが再生されている最中の特定のキー操作に対して、再生中の音楽に対して登録されているアプリケーションを起動させることを特徴とする請求項１に記載の携帯端末。
【請求項４】
前記制御手段は、前記アプリケーションが起動されているとき、前記音楽データを繰り返し再生し、前記アプリケーションを終了する操作を行うと、該音楽データの再生を停止させることを特徴とする請求項３に記載の携帯端末。
【請求項５】
音楽を再生する再生手段と、
音楽データを保存しておく保存手段と、
メールアプリケーションと前記音楽データとを関連付けて登録する登録手段と、
この登録内容を記憶しておく記憶手段と、
メールを受信したとき、前記記憶手段に記憶されている登録内容に基づいて前記音楽データを再生し、前記メールアプリケーションを起動する操作がなされた後も前記音楽データの再生を継続するよう制御する制御手段と
を有することを特徴とする携帯端末。
【発明の詳細な説明】
【技術分野】
【０００１】
本発明は、音楽再生機能を搭載した携帯端末に関する。
【背景技術】
【０００２】
最近では、音楽再生機能を搭載した携帯型電話機において、音楽を再生しながらメールなどの各種アプリケーションを操作する使い方が主流になってきている。
【０００３】
この場合、まず、聴きたい音楽を再生状態にして、次に、メールなどのアプリケーションを起動するのが一般的な使い方となる。
【０００４】
また、通話着信音やメール受信音などに音楽を割り当てることも一般的となっている。
【特許文献１】特開２００３−１５７２１７号公報
【発明の開示】
【発明が解決しようとする課題】
【０００５】
まず音楽を選択し再生状態にしてからアプリケーションを起動する手法は手間を要する。また、連続して曲を再生している時など、アプリケーションを起動した時に一番聴きたい音楽が再生しているとは限らない。
【０００６】
お気に入りの音楽を通話着信音やメール受信音に設定していても、通話着信やメール受信に応答すると、一般的に、通話着信音やメール受信音は鳴動停止する。このため、メール受信時など、そのお気に入りの音楽を聴きながらメールを読むことはできない。
【０００７】
本発明は、この様な実状を考慮して成されたものであり、その目的は、アプリケーションの起動と聴きたい音楽の再生とを少ない手間で行なえる携帯端末を提供することである。
【課題を解決するための手段】
【０００８】
本発明の携帯端末は、音楽を再生する再生手段と、再生される音楽のデータを保存しておく保存手段と、互いに連動されるアプリケーションと音楽を登録する登録手段と、この登録内容を記憶しておく記憶手段と、前記登録内容に基づいてアプリケーションの起動と音楽の再生を制御する制御手段とを有することを特徴とする。
【０００９】
本発明の別の携帯端末は、音楽を再生する再生手段と、音楽データを保存しておく保存手段と、メールアプリケーションと前記音楽データとを関連付けて登録する登録手段と、この登録内容を記憶しておく記憶手段と、メールを受信したとき、前記記憶手段に記憶されている登録内容に基づいて前記音楽データを再生し、前記メールアプリケーションを起動する操作がなされた後も前記音楽データの再生を継続するよう制御する制御手段とを有することを特徴とする。
【発明の効果】
【００１０】
本発明によれば、アプリケーションの起動と聴きたい音楽の再生とを少ない手間で行なえる携帯端末が提供される。
【発明を実施するための最良の形態】
【００１１】
以下、図面を参照しながら本発明の実施形態について説明する。
【００１２】
図１は、この発明に係わる携帯端末の一実施形態である携帯電話機の構成を示すブロック図である。
【００１３】
図示しない基地局から送信された無線信号は、アンテナ１１で受信されたのちアンテナ共用器（ＤＵＰ）１２を介して受信回路（ＲＸ）１３に入力される。受信回路１３は、受信した無線信号を周波数シンセサイザ（ＳＹＮ）１４から出力される局部発振信号とミキシングして中間周波信号に周波数変換（ダウンコンバート）する。そして、このダウンコンバートした中間周波信号を直交復調して受信ベースバンド信号を出力する。なお、周波数シンセサイザ１４から発生される局部発振信号の周波数は、制御ユニット２３から出力される制御信号ＳＹＣによって指示される。
【００１４】
上記受信ベースバンド信号はＣＤＭＡ信号処理部１６に入力される。ＣＤＭＡ信号処理部１６はＲＡＫＥ受信機を備える。ＲＡＫＥ受信機は、受信ベースバンド信号に含まれる複数のパスをそれぞれ拡散符号により逆拡散処理し、この逆拡散処理した各パスの信号を位相を調停したのち合成する。その結果、所定の伝送フォーマットの受信パケットデータが得られる。この受信パケットデータはコンパンダ１７に入力される。
【００１５】
コンパンダ１７は、通話時においては、ＣＤＭＡ信号処理部１６から出力された受信パケットデータに含まれている音声データをスピーチコーデックにより復号し、この復号により得られたディジタルオーディオ信号をＰＣＭコーデック１８に出力する。ＰＣＭコーデック１８は、このディジタルオーディオ信号をＰＣＭ復号してアナログスピーチ信号を出力する。このアナログスピーチ信号は、受話増幅器１９によって増幅されたのちスピーカ２０から出力される。
【００１６】
またコンパンダ１７は、電子メールの受信時やコンテンツのダウンロード時においては、受信パケットデータに含まれている電子メールデータ又はコンテンツデータを制御ユニット２３に渡す。制御ユニット２３は、コンパンダ１７から渡された電子メールデータ又はコンテンツデータを記憶ユニット２４に保存する。
【００１７】
制御ユニット２３は、入力デバイス２７を介して電子メールの表示要求が入力された場合、記憶ユニット２４から該当する電子メールデータを読み出してメインディスプレイ２８に表示させる。
【００１８】
また制御ユニット２３は、入力デバイス２７を介してコンテンツの再生要求が入力された場合、記憶ユニット２４から該当するコンテンツデータを読み出す。
【００１９】
コンテンツデータがオーディオコンテンツの場合、制御ユニット２３は、そのオーディオデータをコンパンダ１７に出力する。オーディオデータはコンパンダ１７により復号され、さらにＰＣＭコーデック１８でアナログ信号に変換されたのち、受話増幅器１９で増幅されてスピーカ２０から出力される。
【００２０】
これに対してコンテンツデータがビデオコンテンツの場合、制御ユニット２３は、そのビデオデータを内部のビデオコーデックにより復号して、メインディスプレイ２８に表示させる。
【００２１】
一方、通話時において、マイクロホン２１に入力された話者の音声信号は、送話増幅器２２により適正レベルまで増幅されたのち、ＰＣＭコーデック１８によってＰＣＭ符号化処理が施され、ディジタルオーディオ信号となってコンパンダ１７に入力される。また、カメラ３０から出力されたビデオ信号は、制御ユニット２３によりディジタル化されてコンパンダ１７に入力される。
【００２２】
コンパンダ１７は、ＰＣＭコーデック１８から出力されたディジタルオーディオ信号から入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御ユニット２３から出力されたディジタルビデオ信号を符号化してビデオデータを生成する。そして、これらのオーディオデータ及びビデオデータを多重分離部で所定の伝送フォーマットに従ってパケット化し、この送信パケットデータをＣＤＭＡ信号処理部１６へ出力する。さらに、制御ユニット２３からメール等のテキストデータが出力された場合にも、このテキストデータを上記送信パケットデータに多重化する。
【００２３】
なお、コンパンダ１７で生成されたビデオデータは、制御ユニット２３の制御の下でメインディスプレイ２８に表示される。
【００２４】
ＣＤＭＡ信号処理部１６は、上記コンパンダ１７から出力された送信パケットデータに対し、送信チャネルに割り当てられた拡散符号を用いてスペクトラム拡散処理を施す。そして、その出力信号を送信回路（ＴＸ）１５へ出力する。送信回路１５は、上記スペクトラム拡散された信号をＱＰＳＫ（Quadrature Phase Shift Keying）方式又はＱＡＭ（Quadrature Amplitude Modulation）方式等のディジタル変調方式を使用して変調する。そして、この変調により生成された送信信号を、周波数シンセサイザ１４から発生される局部発振信号と合成して無線信号に周波数変換する。そして、制御ユニット２３により指示される送信電力レベルとなるように上記無線信号を高周波増幅する。この増幅された無線信号は、アンテナ共用器１２を介してアンテナ１１に供給され、このアンテナ１１から基地局へ向けて送信される。
【００２５】
なお、サブディスプレイ２９には、携帯電話機１０の動作モードを表す情報や、着信の報知情報、バッテリ２５の残量又は充電状態を表す情報が表示される。電源回路２６は、バッテリ２５の出力をもとに所定の動作電源電圧Ｖccを生成して各回路部に供給する。バッテリ２５は図示しない充電回路により充電される。
【００２６】
携帯電話機１０は、これまでの説明から分かるように、音楽を再生する音楽再生機能と、再生される音楽のデータを保存しておく保存手段とを有している。保存手段は記憶ユニット２４で構成され、音楽再生機能はコンパンダ１７とＰＣＭコーデック１８と受話増幅器１９とスピーカ２０と制御ユニット２３とで構成される。
【００２７】
また、携帯電話機１０は、互いに連動されるアプリケーションと音楽を登録する登録手段と、この登録内容を記憶しておく記憶手段と、登録内容に基づいてアプリケーションの起動と音楽の再生を制御する制御手段とを有している。記憶手段は記憶ユニット２４で構成され、制御手段は制御ユニット２３で構成される。また登録手段は、入力デバイス２７とメインディスプレイ２８と制御ユニット２３とからなるＧＵＩで構成される。
【００２８】
図２は、互いに連動されるアプリケーションと音楽を登録する動作のフローチャートを示している。
【００２９】
まず、Ｓ１において、設定するアプリケーションの選択候補を提示し、ユーザによる選択を待ち受ける。設定するアプリケーションの選択候補の提示は、例えば、メインディスプレイ２８に「メール受信」や「メール作成」などのアプリケーションの名称一覧リストを表示するとともに、その中の特定の一つのアプリケーションの名称を反転表示させるなどして行なう。
【００３０】
次に、Ｓ２において、提示したアプリケーションが選択されたか否かを判断する。ユーザによる選択は、例えば、「選択」に相当するキー操作によって行なわれ、非選択は、「変更（例えば上下左右の移動動作など）」に相当するキー操作によって行なわれる。
【００３１】
Ｓ２において、提示したアプリケーションが選択されなかった場合、Ｓ３において、設定するアプリケーションの選択候補を変更した後、Ｓ１に戻って、変更後のアプリケーションの選択候補を提示し、ユーザによる選択を待ち受ける。
【００３２】
Ｓ２において、提示したアプリケーションが選択された場合、Ｓ４において、登録する音楽の選択候補を提示し、ユーザによる選択を待ち受ける。登録する音楽の選択候補の提示は、上述した設定するアプリケーションの選択候補の提示と同様に、メインディスプレイ２８に音楽の曲名一覧リストを表示するとともに、その中の特定の一つの音楽の曲名を反転表示させるなどして行なう。
【００３３】
続いて、Ｓ５において、提示した音楽が選択されたか否かを判断する。
【００３４】
Ｓ５において、提示した音楽が選択されなかった場合、Ｓ６において、登録する音楽の選択候補を変更した後、Ｓ４に戻って、変更後の音楽の選択候補を提示し、ユーザによる選択を待ち受ける。
【００３５】
Ｓ５において、提示した音楽が選択された場合、Ｓ７において、選択されたアプリケーションと選択された音楽とを関連づけて登録する。この登録内容は、アプリケーションと音楽の連動設定として、記憶ユニット２４に記憶される。
【００３６】
次に、アプリケーション起動時の動作について説明する。ここでは、一例として、「メール受信」について図３を参照しながら説明する。図３は、メール受信時の動作のフローチャートを示している。
【００３７】
まず、Ｓ１１において、メールを受信すると、これに応じて「メール受信」のアプリケーションを起動する。
【００３８】
Ｓ１２において、起動するアプリケーションすなわち「メール受信」について、記憶ユニット２４に記憶されている連動設定を調べる。
【００３９】
次に、Ｓ１３において、そのアプリケーションの起動に連動して再生する音楽が登録されているか否かを判断する。
【００４０】
Ｓ１３において、再生する音楽が登録されていない場合、Ｓ１４において、メール受信音の再生を開始し、メール受信をユーザに報知する。また、Ｓ１５において、ユーザの操作を待ち受ける。ここで、ユーザの操作は、例えば携帯電話１０を開く操作などであり、メール受信の報知を停止するトリガーとなる。
【００４１】
Ｓ１６において、ユーザの操作があったか否かを判断する。
【００４２】
Ｓ１６において、ユーザの操作がなかった場合、Ｓ１５に戻り、ユーザの操作を待ち受ける。
【００４３】
Ｓ１６において、ユーザの操作があった場合、Ｓ１７において、メール受信音の再生を停止する。その後、Ｓ１８において、ユーザによるメール受信操作に応じた処理、例えばメールの表示などを行なう。
【００４４】
Ｓ１３において、再生する音楽が登録されている場合、Ｓ１９において、登録されている音楽の再生を開始する。この音楽の再生では、音楽の再生を停止させる操作が行なわれるまで、再生中の音楽を繰り返し再生する。また、Ｓ２０において、メールアプリケーションを起動するための操作を待ち受ける。
【００４５】
Ｓ２１において、メールアプリケーションを起動するための操作があったか否かを判断する。
【００４６】
Ｓ２１において、メールアプリケーションを起動するための操作がなかった場合、Ｓ２０に戻り、再度メールアプリケーションを起動するための操作を待ち受ける。
【００４７】
Ｓ２１において、メールアプリケーションを起動するための操作があった場合、Ｓ２２において、ユーザによるメールアプリケーションの操作に応じた処理、例えばＳ１１において受信したメールを開いて当該メールを表示したり、Ｓ１１において受信したメールに対する返信メールを作成する処理をしたりする。そのとき、音楽の再生は、継続して続けられる。このため、メール受信してメールを読む間、聴きたい音楽を続けて聴ける。
【００４８】
続いて、音楽の再生中に特定のキーが操作された際の動作について図４を参照しながら説明する。図４は、この動作のフローチャートを示している。
【００４９】
Ｓ３１において、音楽再生を開始する。また、Ｓ３２において、特定のキー操作を待ち受ける。ここで、特定のキー操作は、アプリーションの起動などに割り当てられるいわゆるワンタッチキーの類のキーの操作である。
【００５０】
Ｓ３３において、特定のキー操作があったか否かを判断する。
【００５１】
Ｓ３３において、特定のキー操作がなかった場合、Ｓ３２に戻り、特定のキー操作を待ち受ける。
【００５２】
Ｓ３３において、特定のキー操作があった場合、Ｓ３４において、再生中の音楽について、記憶ユニット２４に記憶されている連動設定を調べる。
【００５３】
次に、Ｓ３５において、その音楽に連動して起動するアプリケーションが登録されているか否かを判断する。
【００５４】
Ｓ３５において、起動するアプリケーションが登録されていない場合、アプリケーションの起動に関する動作を終了する。音楽再生はそのまま続けられる。
【００５５】
Ｓ３５において、起動するアプリケーションが登録されている場合、Ｓ３６において、登録されているアプリケーションを起動する。また、Ｓ３７において、例えば、再生中の音楽を繰り返し再生する状態に切り替わる。つまり、再生中の音楽の繰り返し再生を開始する。
【００５６】
Ｓ３８において、ユーザによるアプリケーション操作に応じた処理を行なう。また、Ｓ３９において、アプリケーションが終了されているか否かを判断する。
【００５７】
Ｓ３９において、アプリケーションが終了されていない場合、Ｓ３８に戻り、ユーザによるアプリケーション操作に応じた処理を行なう。
【００５８】
Ｓ３９において、アプリケーションが終了されている場合、Ｓ４０において、再生中の音楽の繰り返し再生を終了する。つまり、特定のキー操作前の音楽の再生状態に戻る。
【００５９】
これまで、図面を参照しながら本発明の実施形態を述べたが、本発明は、これらの実施形態に限定されるものではなく、その要旨を逸脱しない範囲において様々な変形や変更が施されてもよい。
【図面の簡単な説明】
【００６０】
【図１】この発明に係わる携帯端末の一実施形態である携帯電話機の構成を示すブロック図である。
【図２】互いに連動されるアプリケーションと音楽を登録する動作のフローチャートを示している。
【図３】メール受信時の動作のフローチャートを示している。
【図４】音楽の再生中に特定のキーが操作された際の動作のフローチャートを示している。
【符号の説明】
【００６１】
１０…携帯電話機、１１…アンテナ、１２…アンテナ共用器、１３…受信回路、１４…周波数シンセサイザ、１５…送信回路、１６…ＣＤＭＡ信号処理部、１７…コンパンダ、１８…ＰＣＭコーデック、１９…受話増幅器、２０…スピーカ、２１…マイクロホン、２２…送話増幅器、２３…制御ユニット、２４…記憶ユニット、２５…バッテリ、２６…電源回路、２７…入力デバイス、２８…メインディスプレイ、２９…サブディスプレイ、３０…カメラ。
【図１】
2008067077.tif 000003
【図２】
2008067077.tif 000004
【図３】
2008067077.tif 000005
【図４】
2008067077.tif 000006